(57)【特許請求の範囲】
【請求項１】
一対の環状のビードで両端が巻き返された１層以上のカーカス層と、トレッドの下方に位置する前記カーカス層をタガ効果で補強するベルト層とを備える空気入りタイヤにおいて、
前記カーカス層のビード間の本体部のうちビードフィラーの内側に隣接配置された部分は、コードとタイヤ周方向とのなすコード角が３０〜８５°の範囲内で一定又は角度変化する内側傾斜部を有すると共に、前記カーカス層の巻き返し部のうちビードフィラーの外側に隣接配置された部分は、前記コード角が３０〜８５°の範囲内で一定又は角度変化する外側傾斜部を有し、且つ、前記内側傾斜部及び前記外側傾斜部の一方または両方のコード角が、３０〜８５°の範囲内でタイヤ外周側へと徐々に大きくなるように角度変化することを特徴とする空気入りタイヤ。
【請求項２】
空気充填状態で荷重負荷したタイヤへのハンマー加振による上下方向の軸力応答から計測される一次共振周波数が１０５Ｈｚ以下である請求項１記載の空気入りタイヤ。
【請求項３】
前記内側傾斜部のコードと前記外側傾斜部のコードとが、タイヤ半径方向を基準として逆方向に傾斜している請求項１又は２に記載の空気入りタイヤ。
【請求項４】
前記カーカス層の本体部のうち、前記ベルト層の最大幅端部からビードフィラーの上端までの部分は、前記コード角が３０〜８５°の範囲内で一定又は角度変化する上側傾斜部を有する請求項１〜３いずれかに記載の空気入りタイヤ。
【請求項５】
前記内側傾斜部の上端がビードフィラーの上端の高さまで達し、前記上側傾斜部の下端がビードフィラーの上端の高さまで達して、前記内側傾斜部と前記上側傾斜部とが連続する傾斜部を形成している請求項４記載の空気入りタイヤ。
【発明の詳細な説明】
【０００１】
【発明の属する技術分野】
本発明は、一対の環状のビードで両端が巻き返された１層以上のカーカス層と、トレッドの下方に位置する前記カーカス層をタガ効果で補強するベルト層とを備え、カーカス層の一部のコード角を傾斜させてある空気入りタイヤに関する。
【０００２】
【従来の技術】
現在、空気入りタイヤの主流となっているラジアルタイヤは、一対の環状のビード間を補強し、複数のコードがタイヤ半径方向（子午線方向）に配列するカーカス層と、トレッドの下方に位置するカーカス層をタガ効果で補強し、コードがタイヤ周方向に対し傾斜した複数のベルト層とを備えた構造が一般的である。また、カーカス層の両端部は、ビードにて外側に巻き返されており、その巻き返し部のコードについてもタイヤ半径方向に配列しているのが通常であった。
【０００３】
そして、ビード部の剛性を高めて操縦安定性等を向上させる目的で、ビード周りのカーカス層に加えて、長繊維や短繊維で補強された補強層を設けた空気入りタイヤが、各種知られている。また、このような補強層を設けずに、カーカス層の巻き返し部のコードをタイヤ半径方向から傾斜させることにより、ビード部の剛性を高めた空気入りタイヤも知られている（特開平１１−１７０８０７号公報、特開平８−３２４２１３号公報等）。更に、カーカス層の巻き返し部の先端を高くすることによって、サイドウォール部の剛性を高めたものも存在する。
【０００４】
一方、車両が比較的荒れた路面を走行すると、車室内においてロードノイズと呼ばれる騒音が発生する。このロードノイズは、タイヤが関係する騒音の一つであり、路面の凹凸がタイヤへの入力となってタイヤが振動し、この振動が車軸、サスペンション、車体といった伝播経路をとって伝わり、最終的に車室内で騒音を引き起こす。この車室内騒音のうち、１２５Ｈｚ付近に発生する低周波ロードノイズは、タイヤの一次共振周波数に近く、その周波数と合致しロードノイズのピークとなるため、ノイズの低減が求められている。
【０００５】
【発明が解決しようとする課題】
しかしながら、上記のようにビード部又はサイドウォール部の剛性を高めると、一般的に低周波ロードノイズは大きくなり、その原因はタイヤの一次共振周波数の変化によるものであることが判明した。また、カーカス層の巻き返し部のコードをラジアル方向から傾斜させた上記のタイヤでは、その部分での前後力に対する剛性の向上効果が得られるが、タイヤの一次共振周波数が好適に制御されているわけでなく、低周波ロードノイズの低減効果は十分とは言い難かった。つまり、ビード部の剛性を高めて操縦安定性を向上させることと、低周波ロードノイズを低減することは、相反する現象であり、一次共振周波数の変化に着目して両者の両立を図る技術はこれまで存在しなかった。
【０００６】
そこで、本発明の目的は、低周波ロードノイズの低減効果と操縦安定性の改善効果とを両立させることができる空気入りタイヤを提供することにある。
【０００７】
【課題を解決するための手段】
本発明者らは、上記目的を達成すべく、操縦安定性を高めながら一次共振周波数を低下させる方法について鋭意研究したところ、カーカス層のうちビードフィラーに隣接配置された部分に、コードが所定のコード角で傾斜した傾斜部を設けることで、低周波ロードノイズの低減効果と操縦安定性の改善効果とを両立させられることを見出し、本発明を完成するに至った。
【０００８】
即ち、本発明の空気入りタイヤは、一対の環状のビードで両端が巻き返された１層以上のカーカス層と、トレッドの下方に位置する前記カーカス層をタガ効果で補強するベルト層とを備える空気入りタイヤにおいて、前記カーカス層のビード間の本体部のうちビードフィラーの内側に隣接配置された部分は、コードとタイヤ周方向とのなすコード角が３０〜８５°の範囲内で一定又は角度変化する内側傾斜部を有すると共に、前記カーカス層の巻き返し部のうちビードフィラーの外側に隣接配置された部分は、前記コード角が３０〜８５°の範囲内で一定又は角度変化する外側傾斜部を有し、且つ、前記内側傾斜部及び前記外側傾斜部の一方または両方のコード角が、３０〜８５°の範囲内でタイヤ外周側へと徐々に大きくなるように角度変化することを特徴とする。
【０００９】
上記において、空気充填状態で荷重負荷したタイヤへのハンマー加振による上下方向の軸力応答から計測される一次共振周波数が１０５Ｈｚ以下であることが好ましい。ここで、一次共振周波数は具体的には実施例に記載の方法により測定される値である。
【００１０】
また、前記内側傾斜部のコードと前記外側傾斜部のコードとが、タイヤ半径方向を基準として逆方向に傾斜していることが好ましい。
【００１１】
また、前記カーカス層の本体部のうち、前記ベルト層の最大幅端部からビードフィラーの上端までの部分は、前記コード角が３０〜８５°の範囲内で一定又は角度変化する上側傾斜部を有することが好ましい。
【００１２】
その際、前記内側傾斜部の上端がビードフィラーの上端の高さまで達し、前記上側傾斜部の下端がビードフィラーの上端の高さまで達して、前記内側傾斜部と前記上側傾斜部とが連続する傾斜部を形成していることが好ましい。
【００１３】
［作用効果］
本発明によると、カーカス層のうちビードフィラーに隣接配置された部分に、コードが傾斜する傾斜部を有するため、横力及び前後力に対するビード周りの剛性を高めながら、縦力（上下方向の力）に対する剛性（縦剛性）を下げることができ、これによってタイヤの一次共振周波数を低下させることができる。その結果、低周波ロードノイズの低減効果と操縦安定性の改善効果とを両立させることができる。
【００１４】
また、前記の一次共振周波数が１０５Ｈｚ以下である場合、より確実に低周波ロードノイズの低減効果を得ることができるようになり、操縦安定性の改善効果との両立が容易になる。
【００１５】
前記内側傾斜部のコードと前記外側傾斜部のコードとが、タイヤ半径方向を基準として逆方向に傾斜している場合、前後力に対する剛性の方向性が小さくなり、何れの方向にも十分な前後剛性が得られると共に、横力に対する剛性も同方向に傾斜する場合と比較して向上する。
【００１６】
前記カーカス層の本体部のうち、前記ベルト層の最大幅端部からビードフィラーの上端までの部分が、前記の上側傾斜部を有する場合、この上側傾斜部によって前後剛性及び横剛性をより高めることができ、操縦安定性の改善効果が大きくなる。
【００１７】
前記内側傾斜部の上端がビードフィラーの上端の高さまで達し、前記上側傾斜部の下端がビードフィラーの上端の高さまで達して、前記内側傾斜部と前記上側傾斜部とが連続する傾斜部を形成している場合、両者が連続するため中間に剛性の低い部分が存在しないので、全体として効果的に前後剛性及び横剛性を高めることができ、操縦安定性の改善効果がより大きくなる。
【００１８】
【発明の実施の形態】
以下、本発明の実施の形態について、図面を参照しながら説明する。図１は本発明の空気入りタイヤの一例を示す部分断面図であり、図２（ａ）はそのカーカス層を模式的に示す側面図、図２（ｂ）はカーカス層のコードの配置を模式的に示す説明図である。
【００１９】
本発明の空気入りタイヤは、図１に示すように、一対の環状のビード１ａで両端が巻き返された１層以上のカーカス層１０と、トレッド４の下方に位置する前記カーカス層１０をタガ効果で補強するベルト層６とを備える。なお、空気入りタイヤは、赤道線ＣＬで対称又は略対称な断面構造になっている。本実施形態ではカーカス層１０が１層で構成されている例を示す。
【００２０】
本発明において、カーカス層１０のビード１ａ間の本体部１１のうちビードフィラー１ｂの内側に隣接配置された部分１１Ｂ（高さＨ１の領域部分）は、図２に示すように、コード１１ｂとタイヤ周方向ＰＤとのなすコード角θ4 が３０〜８５°の範囲内で一定又は角度変化する内側傾斜部を有する。本実施形態では、この内側傾斜部が部分１１Ｂと一致し、且つコード角θ4 が一定である例を示す。
【００２１】
このように傾斜部のコード角θ4 が一定である場合、コード１１ｂのコード角θ4 が５０〜７０°の範囲内で一定であることが好ましい。この好ましい角度範囲はコード角θ4 が角度変化する場合も同様である。
【００２２】
一方、カーカス層１０の本体部１１のうち、ビードフィラー１ｂの上端より上側の部分１１Ａは、いずれのコード角でもよいが、本実施形態では、この部分１１Ａのコード１１ａとタイヤ周方向ＰＤとのなすコード角θ1 が８５〜９０°である例を示す。この場合、その部分は通常のラジアルタイヤと同じであり、ベルト層６とあいまって、ラジアルタイヤの乗り心地性、耐久性、運動性能などを好適に発現することができる。カーカス層１０を構成するコードとしては、レーヨン、ポリエステル、ポリアミド、芳香族ポリアミド等の有機繊維、又はスチール等が挙げられる。
【００２３】
ベルト層６は、上層６ｂと下層６ａとの２層構成のものが例示できるが、各層を構成するコードのタイヤ赤道線ＣＬに対する角度は１０〜３５°が好ましい。また、上層６ｂの上面に更に周方向にコードを配置した繊維補強層を設けてもよい。ベルト層６を構成するコード材は、スチールや芳香族ポリアミド等の有機繊維など、従来よりベルト層６に用いられる材料がいずれも使用できる。
【００２４】
本発明において、カーカス層１０の巻き返し部１２は、図２に示すように、ビードフィラー１ｂに隣接配置された部分１２Ｂ（高さＨ１の領域部分）と、それより先端側の部分１２Ａとに区別される。本発明では、この部分１２Ｂが、コード角θ3 ＝３０〜８５°の範囲内で一定又は角度変化する外側傾斜部を有する。本実施形態では、この外側傾斜部が部分１２Ｂと一致し、かつ部分１２Ａも部分１２Ｂと同一のコード角で傾斜している例を示す。
【００２５】
このように傾斜部のコード角θ3 が一定である場合、コード１２ｂのコード角θ3 が５０〜７０°の範囲内で一定であることが好ましい。この好ましい角度範囲はコード角θ3 が角度変化する場合も同様である。なお、部分１２Ａのコード１２ａのコード角θ2 は３０〜９０°が好ましい。また、カーカス層１０のうちビード１ａの周囲の部分のコード角は何れでもよいが、コード角θ3 又はコード角θ4 と同じ又は略同じであるのが好ましい。
【００２６】
本実施形態において、内側傾斜部のコード１１ｂと外側傾斜部のコード１２ｂとは、タイヤ半径方向を基準として逆方向に傾斜しているが、本発明では両者が同じ方向に傾斜していてもよい。また、両者のコード角θ3 とコード角θ4 は同一でも異なっていてもよい。
【００２７】
巻き返し部１２のうち部分１２Ｂの高さＨ１は、低周波ロードノイズの低減効果と操縦安定性の改善効果とを両立させる上で、タイヤ断面高さＨの２０〜５０％の高さであることが好ましく、４０〜５０％の高さであることがより好ましい。また、傾斜部の幅は、部分１２Ｂの７０％以上が好ましく、９０％以上がより好ましい。なお、巻き返し部１２の先端の位置は、タイヤ最大幅Ｗの位置ＰＷより高くても低くてもよいが、高い方が傾斜部の効果が大きくなり好ましい。
【００２８】
本発明の空気入りタイヤは、空気充填状態で荷重負荷したタイヤへのハンマー加振による上下方向の軸力応答から計測される一次共振周波数が１０５Ｈｚ以下であるのが好ましく、より好ましくは一次共振周波数が９５〜１００Ｈｚである。
【００２９】
このような一次共振周波数は、傾斜部のコード角、幅、コードの材質、太さ、打ち込み数、カーカス層１０の層数、ビードフィラー１ｂの硬度、形状、大きさなどによって調整することができる。これらを調整して横剛性を小さくすることで、一次共振周波数を低下させることができる。
【００３０】
ビードフィラー１ｂの硬度（加硫後）は、ＪＩＳＡ硬度で８０〜９８°が好ましい。
【００３１】
また、本実施形態では、図１に示すように、ビード周りにおいてカーカス層１０の外側を補強するチェーハー２１が設けられ、カーカス層１０の内側を補強するフリッパー２２が設けられている。これらはゴムの硬度を高めたものや長繊維又は短繊維で補強されたものが使用できる。
【００３２】
上記の点以外は、通常のラジアルタイヤと略同じ構造を有している。即ち、図１に示すように、カーカス層１０の両端は、ビード１ａで折り返され、カーカス層１０の折り返し部１２と本体部１１との間にはゴム硬度が高いビードフィラー１ｂが配置され、ビード部１が形成されている。また、通常のタイヤと同様にカーカス層１０の外側にはサイドウォールゴム２ａ、内側にはインナーライナゴム３が配置され、ベルト層６の外側にはトレッド４等が配置され、トレッド４の外周面には所定のパターンが形成される。
【００３３】
上記のゴム層等の原料ゴムとしては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられる。これらのゴムはカーボンブラックやシリカ等の充填材で補強されると共に、加硫剤、加硫促進剤、可塑剤、老化防止剤等が適宜配合される。また、ビードワイヤーとしては鋼線等が使用され、ゴムとの接着性を高めるべく、通常、表面処理や接着処理等がなされている。
【００３４】
本発明の空気入りタイヤは、カーカス層の巻き返し部のコード角度をタイヤ径方向より部分的に変えたカーカス用プライを使用すること以外は、通常の空気入りタイヤと同様の製造方法で製造できる。上記のカーカス用プライは円筒状に成型され、例えばビードの配設後、チューブ状エアバッグが挿入され、内圧によりドーナツ状にシェーピングされた後、ベルト層６が常法により形成される。
【００３５】
上記のカーカス用プライは、例えば、ゴム被覆したコードを供給しながら、駆動する貼り付けローラによってコードの先端を、トレイに所望の経路にて貼り付ける装置を用いたり、また、特開平８−２４４１３５号公報に記載の製造方法において、カーカス用プライの両端（カーカス先端部）をコード角をラジアルにすることで作製することができる。
【００３６】
前者の装置を用いたカーカス用プライの形成方法について、更に説明すると、次のようになる。即ち、図６に示すような装置を用いて、ローラ群４３でコード材料４０を引き取ることにより、コード材料４０をボビン４１から送りながら、被覆ゴムの押出機４２の口金部４２ａを通過させて未加硫ゴムで被覆され、ゴム被覆したコードは、緩衝部４４の緩衝ローラ４４ａ間に送られて緩んだ状態となる。ゴム被覆したコードの先端は、駆動機構４６の駆動部４６ｂに設けられた貼り付けローラ４６ｃによって、トレイ４７に所望の経路にて貼り付けられ、貼り付け量に応じたコード長さが緩衝部４４からガイドローラ４５を経て引き取られる。貼り付け経路の制御は、トレイ４７の長手方向（Ｙ方向）の移動の位置制御と、駆動機構４６の支持部４６ａを往復動（Ｘ方向）する駆動部４６ｂの移動の位置制御とにより行うことができる。これにより、カーカス用プライ４８をトレイ４７上に作製することができる。貼り付けはコードを切断せずに行うのが簡便であり、その場合、軸心が平行で高さが同じ２本の貼り付けローラ４６ｃが使用される。
【００３７】
所望のタイヤ形状と各部位での所望のコード角度を得るためには、カーカス用プライを作製する際のコード角度を適切に調整するのが好ましい。バイアスタイヤでは、プライ状態でのコード角度とタイヤ成型後のコード角度との関係が、下記の周知の関係式（近似式）により算出できるが、本発明でも当該関係式が同様に適用でき、Ａｄを変数として対応する部分のＲを決定することで、Ａを求めることができる。
【００３８】
Ｒｄ  ｃｏｓＡ＝Ｒ  ｃｏｓＡｄ
ここで、Ｒｄはドラム半径、Ａｄはドラム上の周方向に対するコード角、Ｒはタイヤ成型後のコードの位置に対応する半径、Ａはタイヤ成型後の周方向に対するコード角である。
【００３９】
［他の実施形態］
以下、本発明の他の実施の形態について説明する。
【００４０】
（１）前述の実施形態では、カーカス層の巻き返し部が一定のコード角である例を示したが、本発明では、カーカス層１０の傾斜部のコード角が変化していてもよい。その場合、内側傾斜部又は外側傾斜部の何れか一方のコード角が変化していてもよく、図３に示すように、両方のコード角が変化していてもよい。
【００４１】
その場合、カーカス層１０の巻き返し部１２のうちビードフィラー１ｂの外側に隣接配置された部分１２Ｂが、コード角θ3 が３０〜８５°の範囲内の角度範囲で先端側へと徐々に大きくなっている外側傾斜部を有しているのが好ましい。また、カーカス層１０の本体部のうちビードフィラー１ｂの内側に隣接配置された部分１１Ｂは、コード角θ4 が３０〜８５°の範囲内の角度範囲でタイヤ外周側へと徐々に大きくなっている内側傾斜部を有しているのが好ましい。このようにコード角が変化する場合のコード角θ3 又はθ4 は、コード１２ｂ又は１１ｂの接線とタイヤ周方向ＰＤとのなすコード角により決定される。
【００４２】
（２）前述の実施形態では、カーカス層１０の本体部１１のうち、ビードフィラー１ｂの上端より上側の部分１１Ａのコード角θ1 が８５〜９０°である例を示したが、図４に示すように、カーカス層１０の本体部１１のうち、ベルト層６の最大幅端部ＢＥからビードフィラー１ｂの上端までの部分１１Ａは、コード角θ1 が３０〜８５°の範囲内で一定又は角度変化する上側傾斜部を有していてもよい。
【００４３】
その場合、前記内側傾斜部の上端がビードフィラー１ｂの上端まで連続し、前記上側傾斜部の下端がビードフィラー１ｂの上端まで連続して、連続する傾斜部を形成していることが好ましい。このとき両者の境界において、コード角θ1 とコード角θ4 とが同一又は略同一であることが好ましい。
【００４４】
（３）前述の実施形態では、内側傾斜部のコードと外側傾斜部のコードとが、タイヤ半径方向を基準として逆方向に傾斜している例を示したが、本発明では図５に示すように、両者が同じ方向に傾斜していてもよい。即ち、カーカス層１０の本体部１１のうちビードフィラー１ｂの内側に隣接配置された部分１１Ｂのコード１１ｂと、カーカス層１０の巻き返し部１２のうち、ビードフィラー１ｂの外側に隣接配置された部分１２Ｂのコード１２ｂとが、タイヤ半径方向を基準として同方向に傾斜している。
【００４５】
（４）前述の実施形態では、巻き返し部のうちビードフィラーの外側に隣接配置された部分が、外側傾斜部と一致する例を示したが、本発明では、巻き返し部には、外側傾斜部以外の部分、すなわちコード角が８５〜９０°である部分や３０°未満の部分を一部含んでいてもよい。
【００４６】
（５）前述の実施形態では、本体部のうちビードフィラーの内側に隣接配置された部分が、内側傾斜部と一致する例を示したが、ビードフィラーの内側に隣接配置された部分には、内側傾斜部以外の部分、すなわちコード角が８５〜９０°である部分や３０°未満の部分を一部含んでいてもよい。
【００４７】
【実施例】
以下、本発明の構成と効果を具体的に示す実施例等について説明する。なお、実施例等における物性の測定と性能評価は下記のようにして行った。
【００４８】
（１）静的前後剛性
タイヤの空気圧を２１０ＫＰａ、荷重負荷を５１０Ｋｇとした状態で、前後方向の力を加えて、前後方向の力−前後たわみの関係を測定したグラフに基づき、、荷重負荷（５１０Ｋｇ）の０．３倍に相当する前後方向の力を、その力が作用した時の前後たわみで除して算出した。
【００４９】
（２）１次共振周波数
タイヤの空気圧を指定された空気圧（２１０ＫＰａ）、荷重負荷（５１０Ｋｇ）とした状態で、タイヤ外周上面のトレッド中央部に対し、鉛直方向にハンマー加振し、その際の軸に生じる上下方向の応答を振動伝達レベルで周波数ごとに表示した。その際生じる複数の固有振動ピークのうち、周波数の低いものから１番目に現れるピークの周波数を、１次共振周波数（１次弾性モード周波数）とした。
【００５０】
（３）操縦安定性
実施例等で得られたサイズ２０５／５５Ｒ１６  ８９Ｖの空気入りタイヤを空気圧２２０ｋＰａにてリム組み（リム：６．５Ｊ）して実車（２０００ｃｃクラスの国産セダン）に装着した。この実車により、ドライ時のテストコースにおいて、パネラーによる実車フィーリングテスト（直進、レーンチェンジ、ハンドリング走行安定性）を実施し、その結果をポイントで評価した。この値が大きいほど、操縦性が優れている。
【００５１】
（４）低周波ロードノイズ
操縦安定性の評価と同じ実車により、時速６０ｋｍでテストコース（粗面路）を惰行しながら走行し、運転席窓側の耳位置に取り付けたマイクで周波数１２５Ｈｚでの騒音（低周波ロードノイズ）のレベルを測定した。
【００５２】
参考例１
コードがレーヨン（１８４０ｄｔｅｘ，伸度２％時の応力６９Ｎ／本）で、打ち込み数４８本／５ｃｍのカーカス用プライと、ビードフィラー形成部材（加硫後のＪＩＳＡ硬度９２°、三角形断面の底辺８ｍｍ、高さ４５ｍｍ）とを用いて、本体部のビードフィラー隣接部（内側傾斜部）のコード角４０°、巻き返し部（外側傾斜部）のコード角４０°（内側傾斜部と逆方向に傾斜）、他の部分のコード角９０°になるようにビードで外側に巻き返したカーカス層を形成し、他の部分は通常のラジアルタイヤと同様にして、図１に示すようなタイヤサイズ２０５／５５Ｒ１６８９Ｖの空気入りタイヤを試作した。
【００５３】
実施例１
参考例１において、内側傾斜部のコード角が８５°から３０°に徐々に小さくなるようにし、外側傾斜部のコード角が３０°から８５°に徐々に大きくなるようにビードで外側に巻き返したカーカス層を形成する以外は、参考例１と同様にして同じタイヤサイズの空気入りタイヤを試作した。
【００５４】
参考例２
参考例１において、内側傾斜部のコードと外側傾斜部のコードとが、タイヤ半径方向を基準として逆方向にコード角４０°で傾斜するようにビードで外側に巻き返したカーカス層を形成する以外は、参考例１と同様にして同じタイヤサイズの空気入りタイヤを試作した。
【００５５】
比較例１（従来品）
参考例１と同じカーカス用プライとビードフィラー形成部材とを用いて、カーカス層の巻き返し部を全てコード角９０°で形成し（コードが全ての位置でラジアル）、他の部分は通常のラジアルタイヤと同様にして、同じタイヤサイズの空気入りタイヤを試作した。
【００５６】
比較例２
参考例１において、カーカス層の内側傾斜部及び外側傾斜部のコード角を２９°とし、ビードフィラー形成部材の加硫後のＪＩＳＡ硬度を９８°とする以外は、参考例１と同様にして同じタイヤサイズの空気入りタイヤを試作した。
【００５７】
以上の空気入りタイヤを用いて、前記評価を行った結果を表１に示す。
【００５８】
【表１】
0004225453.tif 000002
表１の結果が示すように、本発明によると、低周波ロードノイズの低減効果と操縦安定性の改善効果とを両立させることができる。これに対し、比較例２では、１次共振周波数が高いため低周波ロードノイズの低減効果は殆ど得られなかった。
【００５９】
参考例３
コードがレーヨン（１８４０ｄｔｅｘ，伸度２％時の応力６９Ｎ／本）で、打ち込み数４８本／５ｃｍのカーカス用プライと、ビードフィラー形成部材（加硫後のＪＩＳＡ硬度９２°、三角形断面の底辺８ｍｍ、高さ４５ｍｍ）とを用いて、本体部のうちベルト端よりタイヤ内周側の部分（内側傾斜部＋上側傾斜部）を全てコード角４０°、巻き返し部（外側傾斜部）のコード角４０°（内側傾斜部と逆方向に傾斜）、他の部分のコード角９０°になるようにビードで外側に巻き返したカーカス層を形成し、他の部分は通常のラジアルタイヤと同様にして、図１に示すようなタイヤサイズ２０５／５５Ｒ１６８９Ｖの空気入りタイヤを試作した。
【００６０】
実施例２
参考例３において、上側傾斜部と内側傾斜部とのコード角が８５°から３０°に徐々に小さくなるようにし、外側傾斜部のコード角が３０°から８５°に徐々に大きくなるようにビードで外側に巻き返したカーカス層を形成する以外は、参考例３と同様にして同じタイヤサイズの空気入りタイヤを試作した。
【００６１】
比較例３
参考例３において、カーカス層の上側傾斜部、内側傾斜部及び外側傾斜部のコード角を２９°とし、ビードフィラー形成部材の加硫後のＪＩＳＡ硬度を９８°とする以外は、参考例３と同様にして同じタイヤサイズの空気入りタイヤを試作した。
【００６２】
以上の空気入りタイヤを用いて、前記評価を行った結果を比較例１と併せて表２に示す。
【００６３】
【表２】
0004225453.tif 000003
表２の結果が示すように、本発明によると、低周波ロードノイズの低減効果と操縦安定性の改善効果とを両立させることができる。これに対し、比較例３では、１次共振周波数が高いため低周波ロードノイズの低減効果は殆ど得られなかった。
【図面の簡単な説明】
【図１】本発明の空気入りタイヤの一例を示す部分断面図
【図２】本発明の空気入りタイヤの要部を示す図であり、（ａ）はカーカス層を模式的に示す側面図、（ｂ）はそのコードの配置を模式的に示す説明図
【図３】本発明の空気入りタイヤの他の例の要部を示す図であり、（ａ）はカーカス層を模式的に示す側面図、（ｂ）はそのコードの配置を模式的に示す説明図
【図４】本発明の空気入りタイヤの他の例の要部を示す図であり、（ａ）はカーカス層を模式的に示す側面図、（ｂ）はそのコードの配置を模式的に示す説明図
【図５】本発明の空気入りタイヤの他の例の要部を模式的に示す側面図
【図６】カーカス用プライの作製に用いられる装置の概略斜視図
【符号の説明】
１ａ        ビード
１ｂ        ビードフィラー
４          トレッド
６          ベルト層
１０        カーカス層
１１        カーカス層の本体部
１１Ａ      タイヤ外周側の部分（上側傾斜部）
１１Ｂ      ビードフィラーの内側に隣接配置された部分（内側傾斜部）
１１ａ      タイヤ外周側の部分のコード
１１ｂ      ビードフィラーの内側に隣接配置された部分のコード
１２        カーカス層の巻き返し部
１２Ａ      先端側の部分
１２Ｂ      ビードフィラーの外側に隣接配置された部分（外側傾斜部）
１２ａ      先端側のコード
１２ｂ      ビードフィラーの外側に隣接配置された部分のコード
Ｈ          タイヤ断面高さ
ＰＤ        タイヤ周方向
θ1 〜θ4   コード角
【図１】
0004225453.tif 000004
【図２】
0004225453.tif 000005
【図３】
0004225453.tif 000006
【図４】
0004225453.tif 000007
【図５】
0004225453.tif 000008
【図６】
0004225453.tif 000009